(57)【要約】【課題】  口径が小さい移送ホースでもコンテナに接続して穀物を移送することが可能になる穀物運搬用コンテナにおける移送ホースの接続具を提供すること。【解決手段】  収納タンク２底部の穀物取出部４前方の接続面部４ａに後面部３５ａを取付可能な取付板３５は、移送ホース１４よりも小径の小移送ホース２４の接続部２５が挿脱可能なホース接続小口部３７を有していると共に前面部３５ｂに小移送ホース２４側部の係止ピン２９が係脱可能に係止する係止部３８を有し、この取付板３５を接続面部４ａに、ホース接続小口部３７がホース接続口部５と同軸線上に一致して且つホース接続小口部３７に挿入される小移送ホース２４の移送回転体２８が前記穀物取出部４の原動部６と一体連動状に接続するように固定具３６で取付可能に形成してある。【選択図】  図３
2007008635.tif 000002
【特許請求の範囲】
【請求項１】
収納タンク底部の穀物取出部前方の接続面部に開口されているホース接続口部に移送ホースの接続部を挿脱可能に挿入して、同移送ホース側部の係止ピンに穀物取出部側の係止フックを係脱可能に係止すると共に同移送ホース内の移送回転体を穀物取出部後方の原動部と一体連動状に接続することで、前記穀物取出部を経て収納タンク内から穀物を移送ホースにより送り出し可能にしてある穀物運搬用コンテナにおける移送ホースの接続具であって、
前記接続面部に後面部を取付可能な取付板は、前記移送ホースよりも小径の小移送ホースの接続部が挿脱可能なホース接続小口部を有していると共に前面部に当該小移送ホース側部の係止ピンが係脱可能に係止する係止部を有し、
この取付板を前記接続面部に、ホース接続小口部がホース接続口部と同軸線上に一致して且つ当該ホース接続小口部に挿入される小移送ホースの移送回転体が前記穀物取出部の原動部と一体連動状に接続するように固定具で取付可能に形成してあることを特徴とする穀物運搬用コンテナにおける移送ホースの接続具。
【請求項２】
取付板が、ホース接続小口部口縁に左右の突状ガイドを後面側に突設し、当該突状ガイドを穀物取出部におけるホース接続口部から続く左右のガイド溝部に挿脱可能に形成してあることを特徴とする請求項１記載の穀物運搬用コンテナにおける移送ホースの接続具。
【発明の詳細な説明】
【技術分野】
【０００１】
本発明は穀物運搬用コンテナに関し、さらに詳しくはコンバイン等により刈り取られて収穫された米や麦等の穀物を収納タンク内に収納し、大型の乾燥機や貯蔵タンクが設置された穀物集積場等に運搬した後、収納タンク底部の接続口部に移送ホースを接続し、この移送ホースを通じてタンク内から穀物を引出して乾燥機や貯蔵タンクに搬入するのに用いられる穀物運搬用コンテナにおける移送ホースの接続具に関する。
【背景技術】
【０００２】
たとえば、特許文献１に記載されている穀物運搬用コンテナがある。この種のコンテナはトラックに載せられてスライスセンター等まで運ばれて、コンテナ内から穀物を移送ホースで乾燥装置等に移送し得るように構成してあり、そして、コンテナと乾燥装置との間の距離的な若干のズレを調整可能な調整機能を有しているものである。
ところで、移送ホースにおける接続部の口径がコンテナの積載容量によって異なる場合があり、移送ホースは互換性がないという不都合が発生している。
【特許文献１】特開平９−１４２６６６号公報
【発明の開示】
【発明が解決しようとする課題】
【０００３】
解決しようとする課題は、第１には、口径が小さい移送ホースでもコンテナに接続して穀物を移送することが可能になる穀物運搬用コンテナにおける移送ホースの接続具を、第２には、さらに、コンテナへの取り付け（芯出し）が容易である穀物運搬用コンテナにおける移送ホースの接続具を提供することにある。
【課題を解決するための手段】
【０００４】
本発明は前記した課題を達成するため、以下の構成にしたことを特徴とする。
１．収納タンク底部の穀物取出部前方の接続面部に開口されているホース接続口部に移送ホースの接続部を挿脱可能に挿入して、同移送ホース側部の係止ピンに穀物取出部側の係止フックを係脱可能に係止すると共に同移送ホース内の移送回転体を穀物取出部後方の原動部と一体連動状に接続することで、前記穀物取出部を経て収納タンク内から穀物を移送ホースにより送り出し可能にしてある穀物運搬用コンテナにおける移送ホースの接続具であって、前記接続面部に後面部を取付可能な取付板は、前記移送ホースよりも小径の小移送ホースの接続部が挿脱可能なホース接続小口部を有していると共に前面部に当該小移送ホース側部の係止ピンが係脱可能に係止する係止部を有し、この取付板を前記接続面部に、ホース接続小口部がホース接続口部と同軸線上に一致して且つ当該ホース接続小口部に挿入される小移送ホースの移送回転体が前記穀物取出部の原動部と一体連動状に接続するように固定具で取付可能に形成してあることを特徴とする。
２．前記した１において、取付板が、ホース接続小口部口縁に左右の突状ガイドを後面側に突設し、当該突状ガイドを穀物取出部におけるホース接続口部から続く左右のガイド溝部に挿脱可能に形成してあることを特徴とする。
【０００５】
本発明における収納タンク底部の穀物取出部は、ホース接続口部が開口している接続面部が前向き、斜め前向き、横向きのいずれかに固定された固定タイプのものであってもよいし、それらのいずれの向きにも回動可能な水平回動タイプであってもよい。
移送ホースと小移送ホースは、接続部の口径が移送ホースのものよりも小移送ホースの方が小さい関係にあるものになる。この移送ホースおよび小移送ホースは、移送ホースがホース接続口部に、小移送ホースがホース接続小口部に、それぞれ挿入されることで回り止めされ、移送回転体による穀物の移送が行なわれるものであればよい。
移送回転体は、スクリュータイプであってもよいし、コイルバネタイプのものであってもよい。この移送回転体を回転させる穀物取出部の原動部としては、バッテリーを電源とするモータや内燃機関等が挙げられる。
【発明の効果】
【０００６】
Ａ．請求項１により、穀物取出部の接続面部に接続具を固定具で取り付けることで、口径が小さい移送ホースでもコンテナに接続して穀物を移送することができるようになる。
したがって、接続部の口径が小さい移送ホースでも口径が大きいコンテナに接続できるようになり、互換性を付与することができる。
Ｂ．請求項２により、さらに、穀物取出部におけるホース接続口部から続く左右のガイド溝部に突状ガイドを挿入することで、穀物取出部の接続面部に対する接続具の取付位置が決まるので、コンテナへの取り付け（芯出し）が容易である。
【発明を実施するための最良の形態】
【０００７】
図１〜図８には本発明の穀物運搬用コンテナにおける移送ホースの接続具の実施の１形態として、接続具を穀物運搬用コンテナに備えた例を示しており、穀物運搬用コンテナ１は、蓋付きあるいは蓋なしの収納タンク２におけるホッパー状底部２ａの駆動回転可能なオーガスクリュー３でタンク内の穀物を当該ホッパー状底部２ａ前端に搬送し、同前端下の穀物取出部４に向けて送り出し可能に形成してある。
穀物取出部４は、ホッパー状底部２ａ前端に縦軸線回りに水平回動可能に垂設してあり、前方側の接続面部４ａにはホース接続口部５を、後面部４ｂ後側にはモーター６を、このモーター６の回転軸７の回転軸線上に一致するようにそれぞれ設けてある。そして、ホース接続口部５の左右の凹部８から後方に続く左右のガイド溝部９を左右対称状に設けることで、ホース接続口部５に挿脱可能に挿入される移送ホース１４における接続部１５の左右ガイドバー２２が凹部８およびガイド溝部９に嵌合した際に、穀物取出部４内から穀物がこぼれ落ちないように密閉され且つ移送ホース１４が回り止めされて、内部の送りバネ１８のみが回転軸線回りに回転し得るように形成してある。
また、穀物取出部４には接続面部４ａの左右開口穴１０からそれぞれ前方に突出状の係止フック１１を移送ホース１４側部の係止ピン１９と係脱可能に軸支してあり、ホース接続口部５から穀物取出部４内に挿入された移送ホース１４におけるコイルスプリング状の送りバネ１８がクラッチ１２を経てモーター６の回転軸７と一体連動状に接続した状態にロックし得るようにしてあると共に係止ピン１９から係止フック１１を外してロック解除することで移送ホース１４をホース接続口部５から抜き外し可能にしてある。係止フック１１は割ピン（図示セズ）を外すことで軸支状態から取り外し可能に形成してある。
【０００８】
移送ホース１４は、後端の接続部１５と前端の排出口部１６との間の中間部１７が曲げ可能な可撓性を有し、内部の回転する送りバネ１８で穀物を後端の接続部１５から前端の排出口部１６に搬送して送り出せるように形成してある。また、移送ホース１４は、接続部１５近くの左右側部に係止ピン１９を突設してある。
接続部１５は、ホース接続口部５に挿入する際に接続面部４ａに当接することでストッパーとなるフランジ部２０を有し、このフランジ部２０後側の上面が開口している半円筒部２１には左右上縁に沿いガイドバー２２をそれぞれ突設してあると共に、半円筒部２１内に送りバネ後部１８ａを覗かせてあり、フランジ部２０が接続面部４ａに当接するまで挿入された状態で、左右の係止ピン１９に係止フック１１がそれぞれ係止し、左右のガイドバー２２が凹部８およびガイド溝部９に嵌合し、送りバネ後端部１８ｂがクラッチ１２を経てモーター６の回転軸７と一体連動状に接続し得るように形成してある。
また、左右の係止ピン１９には解除レバー２３を備えてあり、この解除レバー２３で係止フック１１を押し上げて係止ピン１９との係止関係を解除操作可能に形成してある。
【０００９】
小移送ホース２４は、後端の接続部２５と前端の排出口部２６との間の中間部２７が曲げ可能な可撓性を有し、内部の回転する送りバネ２８で穀物を後端の接続部２５から前端の排出口部２６に搬送して送り出せるように形成してある。また、小移送ホース２４は、接続部２５近くの左右側部に係止ピン２９を突設してある。
移送ホース１４の接続部１５径よりも小径状の接続部２５は、後述する接続具３４のホース接続小口部に挿入する際に接続面部４ａに当接することでストッパーとなるフランジ部３０を有し、このフランジ部３０後側の上面が開口している半円筒部３１には左右上縁に沿いガイドバー３２をそれぞれ突設してあると共に、半円筒部３１内に送りバネ後部２８ａを覗かせてあり、フランジ部３０が接続具３４の前面部に当接するまで挿入された状態で、左右の係止ピン２９に接続具３４の係止フックがそれぞれ係止し、左右のガイドバー３２が接続具３４のガイド凹部４１および穀物取出部４の凹部８ならびにガイド溝部９に嵌合し、送りバネ後端部２８ｂがクラッチ１２を経てモーター６の回転軸７と一体連動状に接続し得るように形成してある。
また、左右の係止ピン２９には解除レバー３３を備えてあり、この解除レバー３３で係止片４３を押し上げて係止ピン２９との係止関係を解除操作可能に形成してある。
【００１０】
接続具３４の取付板３５は、穀物運搬用コンテナ１における接続面部４ａに後面部３５ａを添接した状態にボルト３６で取付可能に形成してある。
この取付板３５は、小移送ホース２４の接続部２５が挿脱可能な口径のホース接続小口部３７を有し、前面部３５ｂには小移送ホース２４側部の係止ピン２９が係脱可能な係止部３８を配設し、後面部３５ａにはホース接続小口部３７口縁に左右の突状ガイド３９を後面側に突設し、当該突状ガイド３９が穀物取出部４におけるホース接続口部５から続く左右の凹部８およびガイド溝部９に挿脱可能に形成してある。
また、取付板３５は、板面四隅の孔４０にボルト３６を通して接続面部４ａのネジ孔１３に螺着することで接続面部４ａに取付可能にしてあり、この接続面部４ａに取り付けた状態で、ホース接続小口部３７がホース接続口部５と同軸線上に一致して且つ当該ホース接続小口部３７に挿入される小移送ホース２４の送りバネ２８が穀物取出部４のモーター６と一体連動状に接続し得るように形成してある。
【００１１】
ホース接続小口部３７は、口縁の左右にガイド凹部４１を凹設し、左右のガイド凹部４１から後面側に突状ガイド３９をそれぞれ突設してあり、接続面部４ａに取付板３５を取り付けて、左右の突状ガイド３９が左右のガイド溝部９に挿入された状態で、小移送ホース２４の接続部２５におけるガイドバー３２がガイド凹部４１から凹部８を経てガイド溝部９に嵌合して、小移送ホース２４が回り止めされた状態に接続し得るように形成してある。
係止部３８は、前面部３５ｂにおけるホース接続小口部３７の左右脇に左右対称状に配設してあり、支軸４２に沿い上下動可能な係止片４３がバネ４４で押し下げられていて、接続状態の小移送ホース２４における係止ピン２９に対して係脱可能に形成してある。
【００１２】
次に、移送ホース１４および小移送ホース２４による穀物の移送状態について説明する。
始めに、移送ホース１４の場合では、同ホースの接続部１５をホース接続口部５にフランジ部２０が接続面部４ａに当接するまで押し込み挿入する。この状態で、ガイドバー２２がガイド溝部９に嵌合して回り止めされると共に送りバネ１８がクラッチ１２を経てモーター６の回転軸７と一体連動状に接続し、そして、係止フック１１が係止ピン１９に係止することにより同状態に接続される。
これにより、モーター６が運転を開始するのにともない、送りバネ１８が回転して穀物を収納タンク２内から移送ホース１４前端の排出口部１６に搬送して送り出せる。
【００１３】
小移送ホース２４の場合では、先ず移送ホース１４における解除レバー２３で係止フック１１を押し上げて係止ピン１９との係止関係を解除した後、ホース接続口部５から移送ホース１４を抜外し操作して除く。
その後に、係止フック１１を取り外し、接続面部４ａに接続具３４をその突状ガイド３９をガイド溝部９に挿入させて、ホース接続小口部３７がホース接続口部５と同軸線上に一致した取付状態にボルト３６で固定する。
【００１４】
このようにして、接続具３４が取付け固定された収納タンク２に対し、小移送ホース２４の接続部２５をホース接続小口部３７にフランジ部３０が前面部３５ｂに当接するまで押し込み挿入する。この状態で、ガイドバー３２がガイド溝部９に嵌合して回り止めされると共に送りバネ２８がクラッチ１２を経てモーター６の回転軸７と一体連動状に接続し、そして、係止片４３が係止ピン２９に係止することにより同状態に接続される。
【００１５】
これにより、モーター６が運転を開始するのにともない、送りバネ２８が回転して穀物を収納タンク２内から小移送ホース２４前端の排出口部２６に搬送して送り出せる。
小移送ホース２４を外すには、先ず小移送ホース２４における解除レバー３３で係止片４３を押し上げて係止ピン２９との係止関係を解除した後、ホース接続小口部３７から小移送ホース２４を抜外し操作して除く。
【図面の簡単な説明】
【００１６】
【図１】本発明の穀物運搬用コンテナにおける移送ホースの接続具の実施の１形態として、穀物運搬用コンテナに備えた例を示している正面図。
【図２】穀物取出部周りの縦断面図。
【図３】穀物取出部と接続具の取付関係を示す分解斜視図。
【図４】接続具の拡大正面図。
【図５】接続具の一部切欠して示す拡大正面図。
【図６】図４の（６）―（６）拡大縦断面図。
【図７】（ａ）は穀物取出部と移送ホースの接続関係を示す概略図、（ｂ）は接続具を経た穀物取出部と小移送ホースの接続関係を示す概略図。
【図８】接続具を経た穀物取出部と小移送ホースの接続過程を順に示し、（ａ）は係止片に係止ピンが係止する前の縦断面図、（ｂ）は係止片に係止ピンが係止する直前の縦断面図、（ｃ）は係止片に係止ピンが係止した縦断面図。
【符号の説明】
【００１７】
１  穀物運搬用コンテナ
２  収納タンク
２ａ  ホッパー状底部
３  オーガスクリュー
４  穀物取出部
４ａ  接続面部
４ｂ  後面部
５  ホース接続口部
６  モーター（原動部）
７  回転軸
８  凹部
９  ガイド溝部
１０  開口穴
１１  係止フック
１２  クラッチ
１３  ネジ孔
１４，２４  移送ホース
１５，２５  接続部
１６，２６  排出口部
１７，２７  中間部
１８，２８  送りバネ（回転移送体）
１８ａ，２８ａ  バネ後部
１８ｂ，２８ｂ  バネ後端部
１９，２９  係止ピン
２０，３０  フランジ部
２１，３１  半円筒部
２２，３２  ガイドバー
２３，３３  解除レバー
３４  接続具
３５  取付板
３５ａ  後面部
３５ｂ  前面部
３６  ボルト（固定具）
３７  ホース接続小口部
３８  係止部
３９  突状ガイド
４０  孔
４１  ガイド凹部
４２  支軸
４３  係止片
４４  バネ
【図１】
2007008635.tif 000003
【図２】
2007008635.tif 000004
【図３】
2007008635.tif 000005
【図４】
2007008635.tif 000006
【図５】
2007008635.tif 000007
【図６】
2007008635.tif 000008
【図７】
2007008635.tif 000009
【図８】
2007008635.tif 000010